(57)【要約】【課題】本発明は、利用者の位置に対応する情報を、利用者の手を煩わせることなく、最適な情報を見ることができる端末装置を提供する。【解決手段】携帯端末１１０において、位置検出手段１１１にて定期的に位置を検出し、その位置における滞在時間を計測する滞在時間計測手段１１４と、検出した位置を外部装置へ送信する端末側第一送信手段１１２と、外部装置から当該位置に対応する施設情報を受信する端末側第一受信手段１１３と、この取得した情報から、位置および滞在時間情報に基づいて情報を選別する施設情報抽出手段１１７と、外部装置へ施設情報を送信する端末側第二送信手段１１８と、外部装置から詳細施設情報を受信する端末側第二受信手段１１９と、前記端末側第二受信手段で取得した詳細情報を解析する情報解析手段１２１と、を備え、情報解析手段で解析した情報を表示するよう構成する。【選択図】図１
2010041469.tif 000002
【特許請求の範囲】
【請求項１】
表示手段と、
位置検出手段と、
前記位置検出手段にて定期的に位置を検出し、所定の位置における滞在時間を
計測する滞在時間計測手段と、
外部サーバ装置に対して、前記位置検出手段にて検出した位置を送信する端末側第一送信手段と、
前記外部サーバ装置から、前記位置検出手段にて検出した位置に対応する施設情報を 受信する端末側第一受信手段と、
前記端末側第一受信手段で取得した情報から、前記位置検出手段で検出された位置および滞在時間計測手段で計測された当該位置における滞在時間情報に基づいて所定の情報を選別し、抽出する施設情報抽出手段と、
外部サーバ装置に対して、前記施設情報抽出手段にて抽出した施設情報を送信する端末側第二送信手段と、
前記外部サーバ装置から、前記施設情報抽出手段にて抽出した施設情報に対応する詳細施設情報を受信する端末側第二受信手段と、
前記端末側第二受信手段で取得した詳細施設情報を解析する情報解析手段と、を備え、
前記情報解析手段で解析された結果が前記表示手段に表示されることを特徴とする携帯端末。
【請求項２】
表示手段と、
位置検出手段と、
時刻検出手段と、
外部サーバ装置に対して、前記位置検出手段にて検出した位置を送信する端末側第一送信手段と、
前記外部サーバ装置から、前記位置検出手段にて検出した位置に対応する施設情報を受信する端末側第一受信手段と、
前記端末側第一受信手段で取得した情報から、前記位置検出手段で検出された位置および前記時刻検出手段で検出された現在時刻に基づいて所定の情報を選別し、抽出する施設情報抽出手段と 、
外部サーバ装置に対して、前記施設情報抽出手段にて抽出した施設情報を送信する端末側第二送信手段と、
前記外部サーバ装置から、前記施設情報抽出手段にて抽出した施設情報に対応する詳細施設情報を受信する端末側第二受信手段と、
前記端末側第二受信手段で取得した詳細情報を解析する情報解析手段と、を備え、
前記情報解析手段において解析された結果が前記表示手段に表示されることを特徴とする携帯端末。
【請求項３】
前記端末側第一受信手段は、業種情報を取得し、
前記施設情報抽出手段は、前記業種情報と滞在時間情報から
所定の情報のみ抽出することを特徴とする
請求項１または２に記載の携帯端末。
【請求項４】
前記携帯端末は、さらに個人情報保存手段を備え、
前記個人情報保存手段は、予めユーザーの嗜好情報を記憶し、
前記情報抽出手段は、前記嗜好情報と滞在時間情報に基づいて
所定の情報のみ抽出することを特徴とする請求項１〜３のいずれかに記載の携帯端末。
【請求項５】
前記情報抽出手段は、業種毎に滞在時間の閾値を設け、
検出した滞在時間が閾値の範囲内あるか否かを検出し、
その結果に応じて所定の情報を抽出することを特徴とする請求項１〜４に記載の携帯端末。
【請求項６】
前記携帯端末は、さらに記憶手段を備え、
前記施設情報抽出手段にて抽出した施設情報の履歴を記憶し、
前記情報解析手段で、前記記憶手段で記憶した過去履歴情報に前記端末側第二受信手段で取得した詳細情報が含まれるか否かを検出し、含まれているなら過去履歴情報を情報解析手段の出力とすることを特徴とする請求項１〜５のいずれかに記載の携帯端末。
【請求項７】
表示手段と、
位置検出手段と、
サーバ装置に対して、前記位置検出手段にて定期的に検出した位置を送信する端末側送信手段と、
前記外部サーバ装置から、前記位置検出手段にて検出した位置に対応する表示情報を受信する端末側受信手段と、前記表示手段に表示情報を表示することを有する携帯端末と、
携帯端末からの位置情報を受信するサーバ側受信手段と、
前記サーバ受信手段からの位置情報で滞在時間を計測する滞在時間計測手段と、
前記サーバ受信手段からの位置に対応する施設情報を取得する施設情報取得手段と、
前記位置検出手段で検出された位置および滞在時間計測手段で計測された当該位置における滞在時間情報に基づいて
前記施設情報取得手段で取得した情報から所定の情報のみ抽出する施設情報抽出手段と、
前記施設情報抽出手段にて抽出した施設情報に対応する詳細施設情報を取得する詳細施設情報取得手段と、
前記詳細施設情報取得手段で取得した詳細情報を解析する情報解析手段と、
前記情報解析手段で解析した表示情報を端末側に送信するサーバ側送信手段を有するサーバと、
構成することを特徴とするシステム。
【請求項８】
表示手段と、
位置検出手段と、
サーバ装置に対して、前記位置検出手段にて定期的に検出した位置を送信する端末側送信手段と、
前記外部サーバ装置から、前記位置検出手段にて検出した位置に対応する表示情報を受信する端末側受信手段と、前記表示手段に表示情報を表示することを有する携帯端末と、
携帯端末からの位置情報を受信するサーバ側受信手段と、
時刻検出手段と、
前記位置検出手段で検出された位置および前記時刻検出手段で検出した現在時刻に基づいて
前記施設情報取得手段で取得した情報から所定の情報のみ抽出する施設情報抽出手段と、
前記施設情報抽出手段にて抽出した施設情報に対応する詳細施設情報を取得する詳細施設情報取得手段と、
前記詳細施設情報取得手段で取得した詳細情報を解析する情報解析手段と、
前記情報解析手段で解析し、表示手段にて表示された表示情報を端末側に送信するサーバ側送信手段を有するサーバと、
を構成することを特徴とするシステム。
【請求項９】
前記施設情報取得手段は、業種情報を取得し、
前記施設情報抽出手段は、前記業種情報と滞在時間情報から
所定の情報のみ抽出することを特徴とする請求項７または８に記載のシステム。
【請求項１０】
前記サーバは、さらに個人情報保存手段を備え、
前記個人情報保存手段は、予めユーザーの嗜好情報を記憶し、
前記情報抽出手段は、前記嗜好情報と滞在時間情報から
所定の情報のみ抽出することを特徴とする請求項７〜９のいずれかに記載のシステム。
【請求項１１】
前記情報抽出手段は、業種毎に滞在時間の閾値を設け、
検出した滞在時間が閾値の範囲であるかどうかを検出し、
所定の情報のみ抽出することを特徴とする請求項７〜１０のいずれかに記載のシステム。
【請求項１２】
前記携帯端末は、さらに記憶手段を備え、
前記施設情報抽出手段にて抽出した施設情報の履歴を記憶し、
前記サーバは、前記情報解析手段で、
前記記憶手段で記憶した過去履歴情報に前記詳細施設情報取得手段で取得した詳細情報が含まれるか否かを検出し、含まれているなら過去履歴情報を情報解析手段の出力とすることを特徴とする請求項７〜１１のいずれかに記載のシステム。
【請求項１３】
前記施設情報取得手段は、さらにネットワーク上の他サーバから業種情報を取得することもできることを特徴とする請求項７〜１２のいずれかに記載のシステム。
【請求項１４】
前記詳細施設情報取得手段は、さらにネットワーク上の他サーバから詳細施設情報を取得することもできることを特徴とする請求項７〜１３のいずれかに記載のシステム。
【発明の詳細な説明】
【技術分野】
【０００１】
本発明は、ＧＰＳを利用し、利用者に最適な各種情報を提示する携帯端末に関する。
【背景技術】
【０００２】
従来、ＧＰＳを利用した情報端末装置として、特許文献１のようにユーザーの位置を検出し、その結果から施設情報を取得し、また移動速度により移動手段を推定し、その結果を蓄積するものであるが、 これは単に行動を管理するだけのものであった。また、ＧＰＳを利用して、利用者の位置を特定し、その位置に関連する情報を受信する情報端末も開発されているが、繁華街やショッピングセンターのような施設（複合施設）においては、位置情報から店舗の特定は困難であるため、利用者が接近した施設のすべての情報が利用者に通知されてしまい、利用者は通知された膨大な情報からの選別が大変であった。
【特許文献１】特開２００３−０７６８１８号公報
【発明の開示】
【発明が解決しようとする課題】
【０００３】
本発明は上記従来の課題を解決するためのものであり、利用者の位置に対応する情報を、利用者の手を煩わせることなく、最適な情報を見ることができる端末装置を提供するものである。
【課題を解決するための手段】
【０００４】
本発明の携帯端末は、表示手段と、位置検出手段と、前記位置検出手段にて定期的に位置を検出し、所定の位置における滞在時間を計測する滞在時間計測手段と、外部サーバ装置に対して、前記位置検出手段にて検出した位置を送信する端末側第一送信手段と、前記外部サーバ装置から、前記位置検出手段にて検出した位置に対応する施設情報を受信する端末側第一受信手段と、前記端末側第一受信手段で取得した情報から、前記位置検出手段で検出された位置および滞在時間計測手段で計測された当該位置における滞在時間情報に基づいて所定の情報を選別し、抽出する施設情報抽出手段と、外部サーバ装置に対して、前記施設情報抽出手段にて抽出した施設情報を送信する端末側第二送信手段と、前記外部サーバ装置から、前記施設情報抽出手段にて抽出した施設情報に対応する詳細施設情報を受信する端末側第二受信手段と、前記端末側第二受信手段で取得した詳細情報を解析する情報解析手段とを備え、前記情報解析手段で解析された結果が前記表示手段に表示される構成を有する。
【０００５】
この構成により、滞在時間の長さによって、例えば、移動中か否かを判断し、利用者の行動に関連すると思われる施設情報を抽出することができるため、利用者にとって所望の情報を提示することができる。  
【０００６】
また、本発明の携帯端末は、表示手段と、位置検出手段と、時刻検出手段と、外部サーバ装置に対して、前記位置検出手段にて検出した位置を送信する端末側第一送信手段と、前記外部サーバ装置から、前記位置検出手段にて検出した位置に対応する施設情報を受信する端末側第一受信手段と、前記端末側第一受信手段で取得した情報から、前記位置検出手段で検出された位置および前記時刻検出手段で検出された現在時刻に基づいて所定の情報を選別し、抽出する施設情報抽出手段と、外部サーバ装置に対して、前記施設情報抽出手段にて抽出した施設情報を送信する端末側第二送信手段と、前記外部サーバ装置から、前記施設情報抽出手段にて抽出した施設情報に対応する詳細施設情報を受信する端末側第二受信手段と、前記端末側第二受信手段で取得した詳細情報を解析する情報解析手段と、を備え、前記情報解析手段で解析した結果を前記表示手段に表示する構成を有する。
【０００７】
この構成により、現在時刻で店舗等が営業中か否かを判断でき、最適な施設情報を抽出し、利用者にとって所望の情報を提示することができる。
【０００８】
また、本発明の携帯端末は、前記端末側第一受信手段は、業種情報を取得し、前記施設情報抽出手段は、前記業種情報と滞在時間情報から所定の情報のみ抽出する構成を有する。
【０００９】
この構成により、業種情報と滞在時間で移動中か否か、どのような業種の施設なのかを判断でき、最適な施設情報を抽出し、利用者にとって所望の情報を提示することができる。
【００１０】
また、本発明の携帯端末は、前記携帯端末は、さらに個人情報保存手段を備え、前記個人情報保存手段は、予めユーザーの嗜好情報を記憶し、前記情報抽出手段は、前記嗜好情報と滞在時間情報に基づいて所定の情報のみ抽出する構成を有する。
【００１１】
この構成により、嗜好情報を含む個人情報から抽出しない業種名が判断でき、最適な施設情報を抽出し、利用者にとって所望の情報を提示することができる。
【００１２】
また、本発明の携帯端末は、前記情報抽出手段は、業種毎に滞在時間の閾値を設け、検出した滞在時間が閾値の範囲内あるか否かを検出し、その結果に応じて所定の情報を抽出する構成を有する。
【００１３】
この構成により、滞在時間の閾値で、業種情報の要・不要かを判断でき、最適な施設情報を抽出し、利用者にとって所望の情報を提示することができる。
【００１４】
また、本発明の携帯端末は、前記携帯端末は、さらに記憶手段を備え、前記施設情報抽出手段にて抽出した施設情報の履歴を記憶し、前記情報解析手段で、前記記憶手段で記憶した過去履歴情報に前記端末側第二受信手段で取得した詳細情報が含まれるか否かを検出し、含まれているなら過去履歴情報を情報解析手段の出力とする構成を有する。
【００１５】
この構成により、過去履歴情報を使用し、最適な施設情報を解析し、利用者にとって所望の情報を提示することができる。
【００１６】
また、本発明の携帯端末は、表示手段と、位置検出手段と、サーバ装置に対して、前記位置検出手段にて定期的に検出した位置を送信する端末側送信手段と、前記外部サーバ装置から、前記位置検出手段にて検出した位置に対応する表示情報を受信する端末側受信手段と、前記表示手段に表示情報を表示することを有する携帯端末と、携帯端末からの位置情報を受信するサーバ側受信手段と、前記サーバ受信手段からの位置情報で滞在時間を計測する滞在時間計測手段と、前記サーバ受信手段からの位置に対応する施設情報を取得する施設情報取得手段と、前記位置検出手段で検出された位置および滞在時間計測手段で計測された当該位置における滞在時間情報に基づいて前記施設情報取得手段で取得した情報から所定の情報のみ抽出する施設情報抽出手段と、前記施設情報抽出手段にて抽出した施設情報に対応する詳細施設情報を取得する詳細施設情報取得手段と、前記詳細施設情報取得手段で取得した詳細情報を解析する情報解析手段と、前記情報解析手段で解析した表示情報を端末側に送信するサーバ側送信手段を有するサーバと、で構成を有する。
【００１７】
この構成により、滞在時間で移動中か否かを判断でき、最適な施設情報を抽出し、利用者にとって所望の情報を、大容量かつ高速なサーバを使用して、提示することができる。
【００１８】
また、本発明の携帯端末は、表示手段と、位置検出手段と、サーバ装置に対して、前記位置検出手段にて定期的に検出した位置を送信する端末側送信手段と、前記外部サーバ装置から、前記位置検出手段にて検出した位置に対応する表示情報を受信する端末側受信手段と、前記表示手段に表示情報を表示することを有する携帯端末と、携帯端末からの位置情報を受信するサーバ側受信手段と、
時刻検出手段と、前記位置検出手段で検出された位置および前記時刻検出手段で検出した現在時刻に基づいて前記施設情報取得手段で取得した情報から所定の情報のみ抽出する施設情報抽出手段と、
前記施設情報抽出手段にて抽出した施設情報に対応する詳細施設情報を取得する詳細施設情報取得手段と、前記詳細施設情報取得手段で取得した詳細情報を解析する情報解析手段と、
前記情報解析手段で解析した表示情報を端末側に送信するサーバ側送信手段を有するサーバと、
で構成を有する。
【００１９】
この構成により、現在時刻で店舗等が営業中か否かを判断でき、最適な施設情報を抽出し、利用者にとって所望の情報を、大容量かつ高速なサーバを使用して、提示することができる。
【００２０】
また、本発明の携帯端末は、前記施設情報取得手段は、業種情報を取得し、前記施設情報抽出手段は、前記業種情報と滞在時間情報から所定の情報のみ抽出する構成を有する。
【００２１】
この構成により、業種情報と滞在時間で移動中か否か、どのような業種の施設なのかを判断でき、最適な施設情報を抽出し、利用者にとって所望の情報を、大容量かつ高速なサーバを使用して、提示することができる。
【００２２】
また、本発明の携帯端末は、前記サーバは、さらに個人情報保存手段を備え、前記個人情報保存手段は、予めユーザーの嗜好情報を記憶し、前記情報抽出手段は、前記嗜好情報と滞在時間情報から
所定の情報のみ抽出する構成を有する。
【００２３】
この構成により、嗜好情報を含む個人情報から抽出しない業種名が判断でき、最適な施設情報を抽出し、利用者にとって所望の情報を、大容量かつ高速なサーバを使用して、提示することができる。
【００２４】
また、本発明の携帯端末は、前記情報抽出手段は、業種毎に滞在時間の閾値を設け、検出した滞在時間が閾値の範囲であるかどうかを検出し、所定の情報のみ抽出することを特徴とする構成を有する。
【００２５】
この構成により、滞在時間の閾値で、業種情報の要・不要かを判断でき、最適な施設情報を抽出し、利用者にとって所望の情報を、大容量かつ高速なサーバを使用して、提示することができる。
【００２６】
また、本発明の携帯端末は、前記携帯端末は、さらに記憶手段を備え、前記施設情報抽出手段にて抽出した施設情報の履歴を記憶し、前記サーバは、前記情報解析手段で、前記記憶手段で記憶した過去履歴情報に前記詳細施設情報取得手段で取得した詳細情報が含まれるか否かを検出し、含まれているなら過去履歴情報を情報解析手段の出力とする構成を有する。
【００２７】
この構成により、過去履歴情報を使用し、最適な施設情報を解析し、利用者にとって所望の情報を、大容量かつ高速なサーバを使用して、提示することができる。
【００２８】
また、本発明の携帯端末は、前記施設情報取得手段は、さらにネットワーク上の他サーバから業種情報を取得することもできる構成を有する。
【００２９】
この構成により、他サーバから最新の業種情報を取得でき、利用者にとって所望の情報を、大容量かつ高速なサーバを使用して、提示することができる。
【００３０】
また、本発明の携帯端末は、前記詳細施設情報取得手段は、さらにネットワーク上の他サーバから詳細施設情報を取得することもできる構成を有する。
【００３１】
この構成により、他サーバから最新の詳細施設情報を取得でき、利用者にとって所望の情報を、大容量かつ高速なサーバを使用して、提示することができる。
【発明の効果】
【００３２】
本発明によれば、利用者は利用者の位置に対応する情報を、利用者の手を煩わせることなく、最適な情報を見ることができる。
【発明を実施するための最良の形態】
【００３３】
以下、本発明を実施するための最良の形態について、図面を参照しながら説明する。なお、実施の形態を説明するための全図において、同一の構成要素には同一符号を付与し、重複する説明は省略する。
（実施の形態１）
図１は、本発明の実施の形態１における情報通知端末装置の概略構成図である。図1において、携帯端末１００は位置検出手段１１１、端末側第一送信手段１１２、端末側第一受信手段１１３、滞在時間計測手段１１４、時刻検出手段１１５、個人情報保存手段１１６、施設情報抽出手段１１７、端末側第二送信手段１１８、端末側第二受信手段１１９、記憶手段１２０、情報解析手段１２１、表示手段１２２を備える。位置検出手段１１１はＧＰＳ衛星１０１より緯度および経度の位置情報１０２を検出し、端末側第一送信手段１１２に施設情報取得指示１３１を与え、一方、滞在時間計測手段１１４には位置および時刻情報１３５を出力する。端末側第一送信手段１１２は、サーバ１５０に位置情報から店舗や建物のような施設情報および業種情報を取得するため、サーバ動作第一要求１３２を送り、端末側第一受信手段１１３はサーバ１５０から、施設情報および業種情報１３３を取得する。ここで「位置情報」とはＧＰＳで検出した緯度および経度のことをいう。また、「施設情報」とはＧＰＳで検出した位置情報に対応する住所、施設名、店舗名、建物名といった情報のことをいう。また、「業種情報」とは施設情報に対応する事業の種類などの情報のことをいう 。施設情報抽出手段１１７は、滞在時間計測手段１１４で計測した滞在時間情報１３６と、時刻検出手段１１５で検出した時刻情報１３７と、あらかじめ利用者の嗜好情報を含む個人情報を保存していた個人情報保存手段１１６と、端末第一受信手段１１３から出力された取得施設情報および取得業種情報１３４とを用いて、多数の取得した施設情報から利用者に最適なものを抽出する。さらに施設情報抽出手段１１７は抽出した結果をもとに、端末側第二送信手段１１８に詳細施設情報取得指示１３９を送り、記憶手段１２０に対しては記憶用施設抽出情報１４３を出力する。端末側第二送信手段１１８は、サーバ１５０に抽出された施設情報から利用者にとって有益な割引情報および交通機関情報等を取得するため、サーバ動作第二要求１４０を送り、端末側第二受信手段１１９はサーバ１５０から詳細施設情報１４１を取得する。ここで、「割引情報」とは店舗などでいつもより商品の価格を割り引いて販売するといった情報のことをいう。また、「交通機関情報」とは駅やバス停から発車する電車やバスの時刻、電車やバスの運行状況といった情報のことをいう。また、「詳細施設情報」とは施設情報に対応する、割引情報および交通機関情報等利用者にとって有益な情報のことをいう。情報解析手段１２１は、記憶手段１２０で保存した過去履歴情報１４４に、端末第二受信手段１１９から出力された取得詳細施設情報１４２が含まれるか否かを検出し、含まれている場合は過去履歴情報を解析し、含まれていない場合は取得詳細施設情報を解析し、利用者に最適なものを選別する。さらに情報解析手段１２１は解析した結果をもとに、表示手段１２２への表示指示１４５を行う。表示手段１２２は、利用者の携帯端末に最適な情報を表示する。
【００３４】
図２は、本発明の実施の形態１における情報通知端末装置のタイミングチャートである。
【００３５】
携帯端末１１０はサーバ１５０に対して、位置情報より施設情報および業種情報を取得するため、サーバ動作第一要求Ｓ２１１を送る。サーバ１５０は携帯端末１１０に対して、施設情報および業種情報Ｓ２１２を送る。携帯端末１１０はサーバ１５０に対して、施設情報よりさらに詳細な施設情報を取得するサーバ動作第二要求Ｓ２１３を送る。サーバ１５０は携帯端末１１０に対して、詳細施設情報Ｓ２１４を送る。
【００３６】
図３は、本発明の実施の形態１における情報通知端末装置の処理手順を示すフローチャートである。
ステップＳ３０１は、位置検出手段１１１でＧＰＳ衛星１０１より位置情報１０２を取得する処理である。ステップＳ３０２は、端末側第一送信手段１１２および端末側第一受信手段１１３により、サーバ側から施設情報および業種情報を取得する処理である。ステップＳ３０３は、ステップＳ３０２で多数取得した施設情報から最適な施設情報を抽出する抽出手段１１７の処理である。ステップＳ３０４は、ステップＳ３０３で抽出した施設情報を保存する記憶手段１２０の処理である。具体的な抽出方法については後述する。ステップＳ３０５は、端末側第二送信手段１１８および端末側第二受信手段１１９により、サーバ側から施設情報に対しての詳細施設情報を取得する処理である。ステップＳ３０６は、ステップＳ３０５で多数取得した詳細施設情報から利用者に通知する最適な情報を選別する情報解析手段１２１の処理である。具体的な解析方法については後述する。ステップＳ３０７は、ステップＳ３０６で選別した内容を表示するための表示手段１２２の処理である。
【００３７】
図４（ａ）は、上述したステップＳ３０３の施設情報抽出処理について、詳細な処理手順を示すフローチャートである。ステップＳ４０１は、時刻検出手段１１５の処理である。ステップＳ４０２は、ステップＳ４０１で取得した時間が、ステップＳ３０２で取得した業種情報が営業時間の範囲内であるか否かを判断し、営業時間の範囲内であれば、ステップＳ４０３へ進む。営業時間の範囲外であれば、ステップＳ４０８へ進む。ステップＳ４０３は、滞在時間計測手段１１４における計測処理である。ステップＳ４０４では、ステップＳ４０３で計測した滞在時間と、ステップＳ３０２で取得した業種情報とを対比し、その業種情報が滞在時間にふさわしいか どうか、すなわち、滞在時間に閾値を設定し、滞在時間が閾値以下・未満によって業種情報の要・不要を判断する。さらに閾値が複数存在する場合は、滞在時間がどの区域にあるかどうかを検出し、対応する業種情報を判別する。ここで、図４（ｂ）は、本発明の実施の形態１における滞在時間の閾値と業種名のデータの例である。Ｌ４１１〜Ｌ４１６は、複数の帯域に区分けされた滞在時間帯域に対応する業種の一例である。例えば、一般的な滞在時間は、コンビニおよびスーパーマーケットでは３０分未満、銀行および役所では1時間未満、理容院や美容院では1時間以上４時間未満、映画館では２時間以上４時間未満であることから、滞在時間に対応する業種のテーブルを用意しておき、滞在時間に対応する業種を判断する。そして、業種名が滞在時間に対応するものであれば、ステップＳ４０５へ進み、滞在時間に対応するものでなければ、ステップＳ４０８へ進む。ステップＳ４０５は、個人情報取得手段１１６の処理である。ステップＳ４０６では、ステップＳ４０５で取得した嗜好情報を含む個人情報が、ステップＳ３０２で取得した業種情報にふさわしいかどうか、すなわち、業種情報が嗜好に合う／会わないを判断する。ここで、図４（ｃ）は、本実施形態における個人情報と、抽出しない業種のデータの一例である。Ｌ４５１〜Ｌ４６２は、複数の項目から構成された個人情報に対して、抽出しない業種名を示す。例えば、一般的に魚が嫌いな人がすし屋に行くことはほとんどない。また、自動車運転免許未保持者がレンタカー店に行くことはほとんどない。１８歳未満の人はパチンコ店および居酒屋には入場できない。男性が女性用エステ関係の店に行くことはほとんどない。嗜好情報を含む個人情報に対応する場合はステップＳ４０７へ進み、嗜好情報を含む個人情報に対応しない場合にはステップＳ４０８へ進む。ステップＳ４０７は、端末側第一受信手段１１３により、サーバ側から取得した施設情報および業種情報が抽出できたとして出力する。ステップＳ４０８は、端末側第一受信手段１１３により、サーバ側から取得した施設情報および業種情報が抽出不可として出力する。
【００３８】
なお、ステップＳ３０３はサーバ側から取得した施設情報および業種情報が複数件ある場合、図４のフローチャートは取得した件数分だけ繰り返す。
【００３９】
図５は、上述したステップＳ３０６の情報解析処理の詳細な処理手順を示すフローチャートである。
【００４０】
ステップＳ５０１は、記憶手段１２０で保存したデータを取得する処理である。ステップＳ５０２は、ステップＳ３０５で取得した詳細施設情報が、ステップＳ５０１で取得した過去履歴情報に含まれているかどうか判断する処理である。例えば、詳細施設情報の内の店舗や建物名の施設情報が、過去履歴情報の内の同じ曜日かつ同じ時間帯に施設情報があるなら、その施設情報の詳細施設情報が利用者にとって最適な情報である。過去履歴情報の内に詳細施設情報の施設情報があるならステップＳ５０３へ進む。過去履歴情報の内に詳細施設情報の施設情報がなければステップＳ５０４へ進む。ステップＳ５０３は、詳細施設情報の施設情報が、過去履歴情報に含まれる詳細施設情報であったとして、過去履歴情報に含まれる詳細施設情報を出力する。ステップＳ５０４は、詳細施設情報の施設情報が、過去履歴情報に含まれていないので、詳細施設情報をそのまま出力する。
【００４１】
なお、ステップＳ３０６はサーバ側から取得した詳細施設情報が複数件ある場合、図５のフローチャートは取得した件数分だけ繰り返す。
【００４２】
図１０は、本発明の実施の形態１における情報通知端末装置のサーバ側から取得した施設情報および業種情報のデータの例である。Ｌ１０１１〜Ｌ１０１８がそれぞれ1件のデータを示す。スーパーマーケットでは同じ位置に店舗が多数あり、そのときの施設情報および業種情報を示す。
【００４３】
図１１は、本発明の実施の形態１における記憶手段１２０で保存する過去履歴情報のデータの例である。Ｌ１１１１〜Ｌ１１１５がそれぞれ1件のデータを示す。ある火曜日に勤務先に到着してから自宅に帰るまでの過去履歴情報を示す。
【００４４】
図１２は、本発明の実施の形態１における情報通知端末装置のサーバ側から取得した詳細施設情報の例である。Ｌ１２１１〜Ｌ１２１５がそれぞれ1件のデータを示す。ある平日２１：４０頃ＪＲ鴨居駅に接近したときの詳細施設情報を示す。Ｌ１２１１〜Ｌ１２１３のＪＲ鴨居駅の施設名は図１１のＬ１１１３にある。さらにＬ１１１４ではＪＲ横浜線の八王子方面に向かっているので、ＪＲ横浜線の上り方面の詳細施設情報Ｌ１１１２は利用者に最適でないと判断できる。そのため、利用者に最適な情報はＬ１２１１およびＬ１２１３となる。なお、上記の説明はステップＳ５０３を例を用いての処理手順の説明である。
【００４５】
なお本実施の形態では、個人情報保存手段１１６は、保存されている個人情報１３８を利用者が編集できる機能も備えることができる。
【００４６】
なお本実施の形態では、記憶手段１２０で保存した過去履歴情報は利用者が件数単位に任意に削除できる機能も備えることがきる。
【００４７】
なお本実施の形態では、情報解析手段１２１は、時刻情報１３７を利用し、表示指示１４５をさらに利用者に最適な情報とする機能も備えることができる。ここで「利用者にさらに最適な情報」とは、例えば、駅に接近した場合、その駅の現在時刻以前の列車の発車時刻情報は必要ないし、またスーパーマーケットの接近した場合、そのスーパーマーケットの現在時刻以前のタイムサービス情報は必要ない。このように位置情報に加えて、時刻情報を利用しさらに情報解析手段で選別した情報のことをいう。
【００４８】
以上説明したとおり、本発明の実施の形態１における携帯端末１１０は、位置検出手段１１１、端末側第一送信手段１１２、端末側第一受信手段１１３、滞在時間計測手段１１４、時刻検出手段１１５、個人情報保存手段１１６、施設情報抽出手段１１７、端末側第二送信手段１１８、端末側第二受信手段１１９、記憶手段１２０、情報解析手段１２１、表示手段１２２を備え、利用者に最適な情報を通知することができる。  また、施設情報抽出の際、時刻・滞在時間・嗜好により選別し、抽出されたうえで、限られた情報のみ表示されるので、多数の情報が存在している場合においても利用者は手を煩わせることなく、所望の情報を閲覧することができる。
（実施の形態２）
次に、本発明の実施の形態２について説明する。本発明の実施の形態２は、既に説明している本発明の実施の形態１で携帯端末で実現している手段を、サーバを使用しても実現できることを特徴とする。
【００４９】
図６は、本発明の実施の形態２における情報通知端末システムの概略構成図である。図６において、携帯端末６１０は位置検出手段１１１、端末側送信手段６１２、端末側受信手段６１３、表示手段１２２を備える。サーバ６３０はサーバ側受信手段６３１、施設情報取得手段６３２、滞在時間計測手段１１４、時刻検出手段１１５、個人情報保存手段１１６、施設情報抽出手段１１７、詳細施設情報取得手段６３７、記憶手段１２０、情報解析手段１２１、サーバ側送信手段６４０を備える。位置検出手段１１１はＧＰＳ衛星１０１より緯度および経度の位置情報１０２を検出し、端末側送信手段６１２にサーバ送信指示６２１を与える。端末側送信手段６１２は、サーバ６３０に対してサーバ動作要求６２２を与える。サーバ動作要求６２２には位置情報のデータも含まれる。サーバ側受信手段６３１は、施設情報取得手段６３２に位置情報６４１を与え、滞在時間計測手段１１４には位置および時刻情報１３５を出力する。施設情報取得手段６３２は、あらかじめ位置情報に対応する店舗や建物のような施設情報および業種情報を保存しておき、位置情報６４１から店舗や建物のような施設情報および業種情報を取得する。施設情報抽出手段１１７は、滞在時間計測手段１１４で計測した滞在時間情報１３６と、時刻検出手段１１５で検出した時刻情報１３７と、あらかじめ利用者の嗜好情報を含む個人情報を保存していた個人情報保存手段１１６と、施設情報取得手段６３２から出力された取得施設情報および取得業種情報１３４とを用いて、多数の取得した施設情報から利用者に最適なものを抽出する。さらに施設情報抽出手段１１７は抽出した結果をもとに、詳細施設情報取得手段６３７に施設抽出情報６４７を与え、記憶手段１２０に対しては記憶用施設抽出情報１４３を出力する。詳細施設情報取得手段６３７は、あらかじめ施設情報に対応する詳細施設情報を保存しておき、施設抽出情報６４７から詳細施設情報１４２を取得する。情報解析手段１２１は、記憶手段１２０で保存した過去履歴情報１４４に、詳細施設情報取得手段６３７から出力された取得詳細施設情報１４２が含まれているか否かを検出し、含まれている場合は過去履歴情報を解析し、含まれていない場合には取得詳細施設情報を解析し、利用者に最適なものを選別する。さらに情報解析手段１２１は解析した結果を表示情報６５１として、サーバ側送信手段６４０へ出力する。サーバ側送信手段６４０は、携帯端末６１０の端末側受信手段６１３に対して表示情報６２３を与える。表示手段１２２は、端末側受信手段６１３からの表示指示１４５で、利用者の携帯端末に最適な情報を表示する。
【００５０】
図７は、本発明の実施の形態２における情報通知端末システムのタイミングチャートである。携帯端末６１０はサーバ６３０に対して、位置情報より詳細施設情報を取得するため、サーバ動作要求Ｓ７１１を送る。サーバ６３０は携帯端末６１０に対して、詳細施設情報Ｓ７１２を送る。
【００５１】
図８は、本発明の実施の形態２における情報通知端末システムの携帯端末の処理手順を示すフローチャートである。ステップＳ３０１は、位置検出手段１１１でＧＰＳ衛星１０１より位置情報１０２を取得する処理である。ステップＳ８０２は、端末側送信手段６１２および端末側受信手段６１３に対応する処理で、位置情報から最適な表示情報をサーバから取得する処理である。ステップＳ３０７は、ステップＳ８０２で取得した内容を表示するための表示手段１２２の処理である。
【００５２】
図９は、本発明の実施の形態２における情報通知端末システムのサーバの処理手順を示すフローチャートである。
ステップＳ９０１は、サーバ側受信手段６３１により、携帯端末から位置情報を取得する処理である。
ステップＳ９０２は、位置情報より施設情報および業種情報を取得する、施設情報取得手段６３２の処理である。ステップＳ３０３は、ステップＳ９０２で多数取得した施設情報から最適な施設情報を抽出する、抽出手段１１７の処理である。ステップＳ３０４は、ステップＳ３０３で抽出した施設情報を保存する、記憶手段１２０の処理である。ステップＳ９０５は、ステップＳ３０３で抽出された施設情報から詳細施設情報を取得する、詳細施設情報取得手段６３７の処理である。ステップＳ３０６は、ステップＳ９０５で多数取得した詳細施設情報から利用者に通知する最適な情報を選別する、情報解析手段１２１の処理である。ステップＳ９０７は、ステップＳ３０６で選別した情報を携帯端末に送付する、サーバ側送信手段６４０の処理である。
【００５３】
なお本実施の形態では、施設情報取得手段６３２は、ネットワーク上の他サーバから、位置情報に対応する施設情報および業種情報を取得する機能も備えることができる。
【００５４】
なお本実施の形態では、詳細施設情報取得手段６３７は、ネットワーク上の他サーバから、施設情報に対応する詳細施設情報を取得する機能も備えることができる。
【００５５】
なお本実施の形態では、情報解析手段１２１は、時刻情報１３７を利用し、表示情報６５１をさらに利用者に最適な情報とする機能も備えることができる。
【００５６】
以上説明したとおり、本発明の実施の形態２における携帯端末６１０は位置検出手段１１１、端末側送信手段６１２、端末側受信手段６１３、表示手段１２２を備え、サーバ６３０はサーバ側受信手段６３１、施設情報取得手段６３２、滞在時間計測手段１１４、時刻検出手段１１５、個人情報保存手段１１６、施設情報抽出手段１１７、詳細施設情報取得手段６３７、記憶手段１２０、情報解析手段１２１、サーバ側送信手段６４０を備え、利用者に最適な情報を通知することができる。また、施設情報抽出の際、時刻・滞在時間・嗜好により選別し、抽出されたうえで、限られた情報のみ表示されるので、多数の情報が存在している場合においても利用者は手を煩わせることなく、所望の情報を閲覧することができる。
【産業上の利用可能性】
【００５７】
本発明は、
表示手段と、
位置検出手段と、
前記位置検出手段にて定期的に位置を検出し、所定の位置における滞在時間を
計測する滞在時間計測手段と、
外部サーバ装置に対して、前記位置検出手段にて検出した位置を送信する端末側第一送信手段と、
前記外部サーバ装置から、前記位置検出手段にて検出した位置に対応する施設情報を受信する端末側第一受信手段と、
前記端末側第一受信手段で取得した情報から、前記位置検出手段で検出された位置および滞在時間計測手段で計測された当該位置における滞在時間情報に基づいて所定の情報を選別し、抽出する施設情報抽出手段と、
外部サーバ装置に対して、前記施設情報抽出手段にて抽出した施設情報を送信する端末側第二送信手段と、
前記外部サーバ装置から、前記施設情報抽出手段にて抽出した施設情報に対応する詳細施設情報を受信する端末側第二受信手段と、
前記端末側第二受信手段で取得した詳細情報を解析する情報解析手段と、を備え、
前記情報解析手段で解析した情報を前記表示手段に表示すること
ができるので、ＧＰＳを利用して情報を通知する携帯端末に有用である。
【図面の簡単な説明】
【００５８】
【図１】本発明の実施の形態１における情報通知端末装置の概略構成図
【図２】本発明の実施の形態１における情報通知端末装置のタイミングチャート
【図３】本発明の実施の形態１における情報通知端末装置の処理手順を示すフローチャート
【図４（ａ）】本発明の実施の形態１における施設情報抽出処理の詳細な処理手順を示すフローチャート
【図４（ｂ）】本発明の実施の形態１における滞在時間の閾値と業種名の一例を示す図
【図４（ｃ）】本発明の実施の形態１における個人情報と抽出しない業種名の一例を示す図
【図５】本発明の実施の形態１における情報解析処理の詳細な処理手順を示すフローチャート
【図６】本発明の実施の形態２における情報通知端末システムの概略構成図
【図７】本発明の実施の形態２における情報通知端末システムのタイミングチャート
【図８】本発明の実施の形態２における情報通知端末システムの携帯端末の処理手順を示すフローチャート
【図９】本発明の実施の形態２における情報通知端末システムのサーバの処理手順を示すフローチャート
【図１０】本発明の実施の形態１における情報通知端末装置のサーバ側から取得した施設情報および業種情報の一例を示す図
【図１１】本発明の実施の形態１における記憶手段で保存する過去履歴情報の一例を示す図
【図１２】本発明の実施の形態１におけるサーバ側から取得した詳細施設情報の一例を示す図
【符号の説明】
【００５９】
１０１    ＧＰＳ衛星
１０２、６４１    位置情報
１１０、６１０    携帯端末
１１１    位置検出手段
１１２    端末側第一送信手段
１１３    端末側第一受信手段
１１４    滞在時間計測手段
１１５    時刻検出手段
１１６    個人情報保存手段
１１７    施設情報抽出手段
１１８    端末側第二送信手段
１１９    端末側第二受信手段
１２０    記憶手段
１２１    情報解析手段
１２２    表示手段
１３１    施設情報取得指示
１３２    サーバ動作第一要求
１３３    施設情報および業種情報
１３４    取得施設情報および取得業種情報
１３５    位置および時刻情報
１３６    滞在時間情報
１３７    時刻情報
１３８    個人情報
１３９    詳細施設情報取得指示
１４０    サーバ動作第二要求
１４１    詳細施設情報
１４２    取得詳細施設情報
１４３    記憶用施設抽出情報
１４４    過去履歴情報
１４５    表示指示
１５０、６３０    サーバ
６１２    端末側送信手段
６１３    端末側受信手段
６２１    サーバ送信指示
６２２    サーバ動作要求
６２３、６５１    表示情報
６３１    サーバ側受信手段
６３２    施設情報取得手段
６３７    詳細施設情報取得手段
６４０    サーバ側送信手段
６４７    施設抽出情報
【図１】
2010041469.tif 000003
【図２】
2010041469.tif 000004
【図３】
2010041469.tif 000005
【図４（ａ）】
2010041469.tif 000006
【図４（ｂ）】
2010041469.tif 000007
【図４（ｃ）】
2010041469.tif 000008
【図５】
2010041469.tif 000009
【図６】
2010041469.tif 000010
【図７】
2010041469.tif 000011
【図８】
2010041469.tif 000012
【図９】
2010041469.tif 000013
【図１０】
2010041469.tif 000014
【図１１】
2010041469.tif 000015
【図１２】
2010041469.tif 000016